【手続補正書】
【提出日】平成19年5月18日(2007.5.18)
【手続補正１】
【補正対象書類名】特許請求の範囲
【補正対象項目名】全文
【補正方法】変更
【補正の内容】
【特許請求の範囲】
【請求項１】
燃料電池セルと燃料の使用に伴って内部の物質の電気的及び／又は特性が変化するモジュールを備えた燃料電池システムにおいて、該燃料電池セルへ該燃料又は該燃料から作られた水素を供給可能な残り時間を推定する方法であって、
該モジュールの内部に複数の電極を設け、該複数の電極のうちの少なくとも２つの電極の間の電気的及び／又は物理的性質を測定し、該測定の結果から該残り時間を推定することを特徴とし、
前記電気的性質は、抵抗、静電容量、インダクタンス及びインピーダンスのうちの少なくとも１つ以上であり、
さらに前記燃料電池システムは、前記燃料と反応触媒との化学反応により水素を生成しうる燃料電池システムであって、前記複数の電極のうちの少なくとも２つの電極を、該２つの電極の間に前記反応触媒が位置するように設け、前記反応触媒の化学的変化に起因して変化する前記電極間の電気的及び／又は物理的性質を測定することを特徴とする、推定方法。
【請求項２】
燃料電池セルと燃料の使用に伴って内部の物質の電気的及び／又は特性が変化するモジュールを備えた燃料電池システムにおいて、該燃料電池セルへ該燃料又は該燃料から作られた水素を供給可能な残り時間が少ないことを警告する方法であって、
該モジュールの内部に複数の電極を設け、該複数の電極のうちの少なくとも２つの電極の間の電気的及び／又は物理的性質を測定し、該測定の値が所定の閾値以上又は以下になった場合に該警告を行なうことを特徴とし、
前記電気的性質は、抵抗、静電容量、インダクタンス及びインピーダンスのうちの少なくとも１つ以上であり、
さらに前記燃料電池システムは、前記燃料と反応触媒との化学反応により水素を生成しうる燃料電池システムであって、前記複数の電極のうちの少なくとも２つの電極を、該２つの電極の間に前記反応触媒が位置するように設け、前記反応触媒の化学的変化に起因して変化する前記電極間の電気的及び／又は物理的性質を測定することを特徴とする、警告方法。
【請求項３】
燃料電池システムであって、
外部に電力を供給する電力供給接点と、
燃料の使用に伴って内部の物質の電気的及び／又は特性が変化するモジュールと、
該モジュールの内部に設置される２つの電極であって、該２つの電極の間の電気的及び／又は物理的性質を測定するための２つの電極と、
前記２つの電極のそれぞれと電気的に接続され、該２つの電極との導通を提供する２つのプローブ用接点と、
前記燃料電池システムに用いる燃料から水素を取り出す水素生成部と、
を備え、
前記２つの電極は該水素生成部に設置され、
前記水素生成部は、前記燃料と化学反応を起こして該燃料から水素を生成する反応触媒を備える、
ことを特徴とする、燃料電池システム。
【請求項４】
前記２つの電極は、該２つの電極の間に前記反応触媒が位置するように設置されることを特徴とする請求項３に記載の燃料電池システム。
【請求項５】
前記２つの電極の少なくとも１つは、前記水素生成部の外壁の一部をなすことを特徴とする請求項３に記載の燃料電池システム。
【請求項６】
前記２つの電極の一方は前記水素生成部の一端側の外壁の一部をなすと共に、前記２つの電極のうちの他方は前記水素生成部の他端側の外壁の一部をなし、前記外壁の一端側と他端側との間に絶縁層を備えることを特徴とする請求項３から５のいずれかに記載の燃料電池システム。
【請求項７】
前記２つの電極のうちの少なくとも１つの電極は、表面に絶縁層を備えることを特徴とする請求項３から６のいずれかに記載の燃料電池システム。
【請求項８】
前記絶縁層には、紙，ポリエチレンやポリプロピレンなどのポリオレフィン類，ポリエチレンテレフタレートなどのポリエステル類、芳香族および脂肪族ポリアミド類、ポリウレタン類、ポリイミド類，フェノール樹脂、液晶ポリマー、ＰＰＳ，エポキシ樹脂，ＰＥＥＫ、またはＰＥＳのうち少なくとも１からなる材料を用いることを特徴とする請求項７に記載の燃料電池システム。
【請求項９】
前記水素生成部は、前記反応触媒を支持する支持部材であって、導電性を有し、前記２つの電極のうちの１つとして用いられる支持部材を備えることを特徴とする請求項３から８のいずれかに記載の燃料電池システム。
【請求項１０】
前記支持部材は、金属，カーボン，導電性ポリマー，導電性セラミックスのいずれかを材料とすることを特徴とする請求項９に記載の燃料電池システム。
【請求項１１】
前記支持部材は、網状、格子状、多孔性のいずれかの構造を有することを特徴とする請求項９に記載の燃料電池システム。
【請求項１２】
前記反応触媒は、その一部分が前記支持部材に面して前記燃料に接触しないように該支持部材に取り付けられると共に、該一部分とは別の部分が前記燃料に直接接するように該支持部材に取り付けられることを特徴とする請求項９に記載の燃料電池システム。
【請求項１３】
燃料電池システムであって、
外部に電力を供給する電力供給接点と、
燃料の使用に伴って内部の物質の電気的及び／又は特性が変化するモジュールと、
該モジュールの内部に設置される２つの電極であって、該２つの電極の間の電気的及び／又は物理的性質を測定するための２つの電極と、
前記２つの電極のそれぞれと電気的に接続され、該２つの電極との導通を提供する２つのプローブ用接点と、
前記燃料電池システムに用いる燃料から水素を取り出す水素生成部と、
を備え、
前記２つの電極は該水素生成部に設置され、
前記水素生成部は、前記燃料自体が変化することにより水素を生成する水素生成反応を促進する触媒を備える、
ことを特徴とする、燃料電池システム。
【請求項１４】
前記２つの電極の少なくとも１つは、前記水素生成部の外壁の一部をなすことを特徴とする請求項１３に記載の燃料電池システム。
【請求項１５】
前記２つの電極の一方は前記水素生成部の一端側の外壁の一部をなすと共に、前記２つの電極のうちの他方は前記水素生成部の他端側の外壁の一部をなし、前記外壁の一端側と他端側との間に絶縁層を備えることを特徴とする請求項１３に記載の燃料電池システム。
【請求項１６】
前記２つの電極のうちの少なくとも１つの電極は、表面に絶縁層を備えることを特徴とする請求項１３から１５のいずれかに記載の燃料電池システム。
【請求項１７】
前記絶縁層には、紙，ポリエチレンやポリプロピレンなどのポリオレフィン類，ポリエチレンテレフタレートなどのポリエステル類、芳香族および脂肪族ポリアミド類、ポリウレタン類、ポリイミド類，フェノール樹脂、液晶ポリマー、ＰＰＳ，エポキシ樹脂，ＰＥＥＫ、またはＰＥＳのうち少なくとも１からなる材料を用いることを特徴とする請求項１６に記載の燃料電池システム。
【請求項１８】
燃料電池システムであって、
外部に電力を供給する電力供給接点と、
燃料の使用に伴って内部の物質の電気的及び／又は特性が変化するモジュールと、
該モジュールの内部に設置される２つの電極であって、該２つの電極の間の電気的及び／又は物理的性質を測定するための２つの電極と、
前記２つの電極のそれぞれと電気的に接続され、該２つの電極との導通を提供する２つのプローブ用接点と、
前記燃料電池システムに用いる燃料を収容する収容部と、
を備え、
前記２つの電極は、前記収容部に設置される、
ことを特徴とする、燃料電池システム。
【請求項１９】
前記２つの電極の少なくとも１つは、前記収容部の外壁の一部をなすことを特徴とする請求項１８に記載の燃料電池システム。
【請求項２０】
前記２つの電極の一方は前記収容部の一端側の外壁の一部をなすと共に、前記２つの電極のうちの他方は前記収容部の他端側の外壁の一部をなし、前記外壁の一端側と他端側との間に絶縁層を備えることを特徴とする請求項１８に記載の燃料電池システム。
【請求項２１】
前記２つの電極のうちの少なくとも１つの電極は、表面に絶縁層を備えることを特徴とする請求項１８から２０のいずれかに記載の燃料電池システム。
【請求項２２】
前記絶縁層には、紙，ポリエチレンやポリプロピレンなどのポリオレフィン類，ポリエチレンテレフタレートなどのポリエステル類、芳香族および脂肪族ポリアミド類、ポリウレタン類、ポリイミド類，フェノール樹脂、液晶ポリマー、ＰＰＳ，エポキシ樹脂，ＰＥＥＫ、またはＰＥＳのうち少なくとも１からなる材料を用いることを特徴とする請求項２１に記載の燃料電池システム。
【請求項２３】
前記収容部は、内部に前記燃料を保持する保持材と、該保持材を支持する支持部材とを備え、前記支持部材は導電性を有し、前記２つの電極のうちの１つとして用いられることを特徴とする請求項１８から２２のいずれかに記載の燃料電池システム。
【請求項２４】
前記支持部材は、網状、格子状、多孔性のいずれかの構造を有することを特徴とする請求項２３に記載の燃料電池システム。
【請求項２５】
前記電力供給接点と、前記プローブ用接点は、前記燃料電池システムの筐体に設けられることを特徴とする請求項３から２４のいずれかに記載の燃料電池システム。
【請求項２６】
請求項３から２５のいずれかに記載の燃料電池システムと共に用いられ、前記プローブ用接点と電気的に接続する本体側プローブ用接点と、前記電力供給接点と電気的に接続する電力受容接点とを有する電子機器。